(57)【要約】      （修正有）【課題】良好な放熱効果を具えて使用寿命を向上させるＬＥＤ照明具。【解決手段】アルミニウム押出成形放熱台１０、ＬＥＤモジュール２０、集光板３０、透光カバー４０及び両端に設けられた電気プラグから構成する。該ＬＥＤモジュール２０は、該放熱台に固定する基板２１及び該基板に電気接続する複数のＬＥＤライト２２からなり、該集光板は、該放熱台の底板１１上に固定され、該集光板及び該透光カバーは、それぞれ該放熱台に形成された掛止溝１２１，１２２に嵌合固定され、また、該放熱台の両端にそれぞれ電気プラグを接続して該基板を電気的に接続する。ＬＥＤモジュールの発生した熱は、アルミニウム押出成形材の放熱台に伝導され、速やかに放熱する。【選択図】図４
0003146172.tif 000002
【実用新案登録請求の範囲】
【請求項１】
アルミニウム押出成形放熱台と、
該放熱台に固定する基板及び該基板に電気的に接続する複数のＬＥＤライトを具えたＬＥＤモジュールと、
該放熱台上方に固定され、且つ複数の該ＬＥＤライトに相対して配置された集光板と、
該放熱台に接続され、集光板下方に相対して配置された透光カバーと、
該放熱台の両端にそれぞれ接続され、該基板を電気的に接続する電気プラグから構成され、
該アルミニウム押出成形放熱台、該透光カバー及び該電気プラグによって密閉空間を形成し、該ＬＥＤモジュール及び該集光板を該密閉空間内部に収容したことを特徴とするＬＥＤ照明具。
【請求項２】
前記放熱台は、該基板と接する底板及び該底板両側から延長した側板を具え、該ＬＥＤモジュールは該底板及び該側板の間に位置することを特徴とする請求項１記載のＬＥＤ照明具。
【請求項３】
前記放熱台は、該底板の底面外方に延長された複数の放熱フィンを具えることを特徴とする請求項２記載のＬＥＤ照明具。
【請求項４】
前記底板は、複数のネジ孔を形成し、該基板は該ネジ孔に対応する複数の開孔を設けて、それぞれネジを差し込んで固定することを特徴とする請求項２記載のＬＥＤ照明具。
【請求項５】
前記両側板は、それぞれ相互に相対して掛合溝を設け、該集光板の両側にはそれぞれ該掛合溝内に固定する掛合条を設けたことを特徴とする請求項２記載のＬＥＤ照明具。
【請求項６】
前記両側板は、それぞれ相互に相対して係止溝を設け、該透光カバーの両側にはそれぞれ該係止溝内に掛合する係止条を設けたことを特徴とする請求項２記載のＬＥＤ照明具。
【請求項７】
前記底板は、両側それぞれに固定孔を設け、該電気プラグは複数の該固定孔に対応する複数の穿孔を設けて、それぞれネジを差し込んで固定することを特徴とする請求項２記載のＬＥＤ照明具。
【請求項８】
前記ＬＥＤ照明具は、更に恒温板を具え、該恒温板は該底板と該基板の間に設置することを特徴とする請求項２記載のＬＥＤ照明具。
【請求項９】
前記恒温板は、吸熱面及び放熱面を具え、該吸熱面は該基板に貼り付け、該放熱面は該底板に貼り付けることを特徴とする請求項８記載のＬＥＤ照明具。
【請求項１０】
前記基板は、銅基板であることを特徴とする請求項１記載のＬＥＤ照明具。
【請求項１１】
前記ＬＥＤライトは、高効率発光ダイオードであることを特徴とする請求項１記載のＬＥＤ照明具。
【請求項１２】
前記集光板は、ポリメタクリル酸メチル(PMMA)材から製造されることを特徴とする請求項１記載のＬＥＤ照明具。
【請求項１３】
前記集光板は、複数の集光片から構成され、複数の該集光片は、それぞれ複数の該ＬＥＤライト下方で対応して形成することを特徴とする請求項１記載のＬＥＤ照明具。
【請求項１４】
前記電気プラグは、導電端子を具え、該導電端子は、それぞれ該基板に電気的に接続することを特徴とする請求項１記載のＬＥＤ照明具。
【考案の詳細な説明】
【技術分野】
【０００１】
本考案は、照明具に関し、特にＬＥＤ照明具に係る。
【背景技術】
【０００２】
科学技術の絶え間ない発展及び進歩により、電子部品は、ますます軽薄短小へと発展している。例として発光ダイオード(LED)は、輝度が良好で、寿命が長く、節電及び環境保護等の様々な長所からメーカーでは室内もしくは戸外の照明装置に幅広く応用されている。しかしながら、ＬＥＤの使用寿命に影響を与える要因として、ＬＥＤを適する温度の環境で使用することがある。拠って本考案では照明装置の放熱に関して研究課題とする。
【０００３】
公知のＬＥＤ照明具は、主に管体、ＬＥＤモジュール及び電気プラグからなる。該管体は、透明状で複数の放熱孔を設置する。該ＬＥＤモジュールは、該管体内部に収容され、該ＬＥＤモジュールは、基板及び該基板に電気接続する複数のＬＥＤ発光体からなる。該電気プラグはそれぞれ該管体の両端に設置された該基板に電気接続する。該ＬＥＤモジュールに通電すると、該ＬＥＤライトは即座に光を発して熱エネルギーを発生する。その熱エネルギーは該基板へ伝導され、複数の該放熱孔を経て排出し、該ＬＥＤライトが発した熱エネルギーを発散する。
【特許文献１】特開２００８−１８６７７６号公報
【考案の開示】
【考案が解決しようとする課題】
【０００４】
解決しようとする問題点は、実際の使用における以下の欠点の解消にある。該ＬＥＤライトが発する熱エネルギーは該基板を伝導して放熱孔を経て発散され、外界の空気の対流によって該ＬＥＤライトを冷却するが、その冷却効果は限定的で、該ＬＥＤライトの放熱機能に影響を及ぼし、該ＬＥＤライトの使用寿命を短縮する点である。そのため、公知の欠点を改善し、その欠点の改善に有用な本考案を提供することを課題とする。
【課題を解決するための手段】
【０００５】
本考案は、アルミニウム押出成形放熱台、ＬＥＤモジュール、集光板、透光カバー及び電気プラグからなる。該ＬＥＤモジュールは、該放熱台に固定する一基板及び該基板に電気接続する複数のＬＥＤライトを含む。該集光板は、該放熱台上に固定し、且つ複数の該ＬＥＤライト下方に対応して形成する。該透光カバーは、該放熱台を接続し、該集光板下方に対応して形成する。該電気プラグは、それぞれ該放熱台の両端に接続し該基板を電気接続する。そのうち該アルミニウム押出成形放熱台、該透光カバー及び該電気プラグの間には共同周囲に密閉空間を設置し、該ＬＥＤモジュール及び該集光板は該密閉空間内部に納置することを最も主要な特徴とする。
【考案の効果】
【０００６】
本考案のＬＥＤ照明具は、良好な放熱効果を具えて使用寿命を向上させるという利点がある。
【考案を実施するための最良の形態】
【０００７】
ＬＥＤ照明具を提供し、アルミニウム押出成形放熱台により、ＬＥＤモジュールを放熱台上に貼り付け、ＬＥＤライトに良好な放熱効果を与え、その使用寿命を向上させることを本考案の目的とする。
【０００８】
本考案が提供するＬＥＤ照明具は、アルミニウム押出成形放熱台、ＬＥＤモジュール、集光板、透光カバー及び電気プラグから構成される。該ＬＥＤモジュールは、該放熱台に固定する基板及び該基板に電気接続する複数のＬＥＤライトを含む。該集光板は該放熱台上に固定し、且つ複数の該ＬＥＤライト下方に対応して形成する。該透光カバーは、該放熱台に接続し、該集光板下方に対応して形成する。該電気プラグは、それぞれ該放熱台の両端に接続して該基板に電気接続する。そのうち該アルミニウム押出成形放熱台、該透光カバー及び該電気プラグの間には共同で囲んだ密閉空間を形成し、該ＬＥＤモジュール及び該集光板は該密閉空間内部に収容される。
(実施例１)
【０００９】
以下の実施例を更に説明するが、本考案の請求範囲を制限するものではない。
【００１０】
図１から図３に示すとおり、本考案のＬＥＤ照明具は、アルミニウム押出成形放熱台１０、ＬＥＤモジュール２０、集光板３０、透光カバー４０及び電気プラグ５０から構成される。
【００１１】
該アルミニウム押出成形放熱台１０は、底板１１、該底板１１両側から延長された側板１２、及び該底板１１底面から延長された複数の放熱フィン１３を具え、該底板１１には複数のネジ孔１１１を設ける。また両該側板１２は、それぞれ相互に対応する掛合溝１２１及び相互に対応する係止溝１２２を形成し、且つ該底板１１の両端にはそれぞれ固定孔１１２を設ける。
【００１２】
該ＬＥＤモジュール２０は、該放熱台１０に固定する基板２１及び該基板２１に電気的に接続する複数のＬＥＤライト２２からなる。該基板２１は、該放熱台１０の該底板１１上に設置され、該ＬＥＤモジュール２０は該底板１１及び該側板１２の間に配置されて、該基板２１には上記底板に設けられた複数のネジ孔１１１に対応する複数の開孔２３が貫設され、それぞれネジ２４を複数の該開孔２３、ネジ孔１１１に差し込み、該ＬＥＤモジュール２０を該底板１１上に固定する。
該基板２１は、銅基板もしくは銀基板として導熱効果を向上し、また該ＬＥＤライト２２は、高効率発光ダイオードもしくは一般の発光ダイオードとする。前述では該基板２１上は単一の該ＬＥＤライト２２であるが、複数の該ＬＥＤライト２２を接続してもよい。
【００１３】
該集光板３０は、該放熱台１０上に固定し、且つ複数の該ＬＥＤライト２２下方に相対して配置する。該集光板３０は、複数の該ＬＥＤライト２２が発した光源を集光する。更にその両側それぞれに掛合条３１を成形して、該掛合条３１をそれぞれ該掛合溝１２１内に掛合固定する。該集光板３０は、ポリメタクリル酸メチル(PMMA)材で製造する。
【００１４】
該透光カバー４０は、該放熱台１０に接続して該集光板３０下方に相対して形成する。該透光カバー４０の両側にはそれぞれ係止条４１を成形し、該係止条４１をそれぞれ該係止溝１２２内に掛合し固定する。該透光カバー４０は、導光材料もしくは透光性を具えたプラスチック材で製造する。
【００１５】
該電気プラグ５０は、それぞれ該放熱台１０の両端に接続し、該基板２１に電気的に接続する。更に該電気プラグ５０の両側において、それぞれ該底板１１の両端の固定孔１１２に対応する穿孔５１を設けて、それぞれネジ５２を穿孔５１、固定孔１１２に差し込み、該電気プラグ５０を該放熱台１０に固定する。該電気プラグ５０は導電端子５３を具え、該導電端子５３は、それぞれ該基板２１に電気的に接続する。該アルミニウム押出成形放熱台１０、該透光カバー４０及び該電気プラグ５０により密閉空間５４を形成し、該ＬＥＤモジュール２０及び該集光板３０は該密閉空間５４内部に収容する。
【００１６】
本考案の組立時、図４に示すとおり、先ず該ＬＥＤモジュール２０の該基板２１をネジ２４で該放熱台１０の該底板１１上に固定した後、該集光板３０を該掛合条３１で、それぞれ該放熱台１０の該掛合溝１２１内部に掛合して該集光板３０を固定し、該透光カバー４０を該係止条４１によってそれぞれ該放熱台１０の該二係止溝１２２内に掛合して該透光カバー４０を固定する。最後に該電気プラグ５０をそれぞれ複数のネジ５２で該放熱台１０の両端に固定し、本考案の組立作業を完了する。
【００１７】
本考案を使用する時、図５に示すとおり、すでに組立が完了した本考案照明具を天井板６０上に固定したライト台７０内に設置する。該ライト台７０は、カバー板７１、及び該カバー板７１内部に設置して電源に接続した電気接続台７２を具え。先ず、本考案を該二電気プラグ５０の複数の該導電端子５３で、それぞれ該二電気接続台７２の複数の差込孔(図未提示)内に差し込んで固定する。該ＬＥＤモジュール２０は通電すると、該ＬＥＤライト２２はすぐに出光エネルギー及び熱エネルギーを発し、その光エネルギーは該集光板３０で集光された後、照射され、更にその熱エネルギーは該基板２１を経て該放熱台１０及び其放熱フィン１３上へ伝導され、該ＬＥＤライト２２が発した熱エネルギーを十分に放出し、良好な放熱効果を具え、更に該ＬＥＤライト２２の使用寿命を延ばす。
(実施例２)
【００１８】
図６は、本考案の別の一実施例図である。本実施例と前述の実施例との違いは、更に恒温板８０を具えることにある。該恒温板８０は該底板１１と該基板２１の間に設置し、該恒温板８０は吸熱面８１及び放熱面８２を具える。該吸熱面８１は該基板２１に貼り付け、また該放熱面８２は該底板１１に貼り付ける。これらによって該ＬＥＤライト２２が発した熱エネルギーをスピーディに排出し、前述実施例と同じ効果を達成する。
【００１９】
図７は、本考案の更に別の一実施例図である。本実施例と前述実施例の違いは、該集光板３０において、複数の集光片３２から構成されることで、それぞれ該等ＬＥＤライト２２の下方で対応して形成する。
【００２０】
上述のとおり、本考案を応用することにより、良好な放熱効果を具え、該ＬＥＤライト２２の使用寿命を延ばし、公知技術の数々の欠点を解決し、高度産業利用価値を具える。
【図面の簡単な説明】
【００２１】
【図１】本考案の立体分解指示図である。
【図２】本考案の立体組立指示図である。
【図３】本考案の第二図の３-３の断面指示図である。
【図４】本考案の第三図の４-４の断面指示図である。
【図５】本考案の使用状態図である。
【図６】本考案の別の一実施例図である。
【図７】本考案の更に別の一実施例図である。
【符号の説明】
【００２２】
１０        放熱台
１１        底板
１１１        ネジ孔
１１２        固定孔
１２        側板
１２１        掛合溝
１２２        係止溝
１３        放熱フィン
２０        ＬＥＤモジュール
２１        基板
２２        ＬＥＤライト
２３        開孔
２４        ネジ
３０        集光板
３１        掛合条
３２        集光片
４０        透光カバー
４１        係止条
５０        電気プラグ
５１        穿孔
５２        ネジ
５３        導電端子
５４        密閉空間
６０        天井板
７０        ライト台
７１        カバー板
７２        電気接続台
８０        恒温板
８１        吸熱面
８２        放熱面
【図１】
0003146172.tif 000003
【図２】
0003146172.tif 000004
【図３】
0003146172.tif 000005
【図４】
0003146172.tif 000006
【図５】
0003146172.tif 000007
【図６】
0003146172.tif 000008
【図７】
0003146172.tif 000009